(57)【要約】【課題】飲料容器の蓋部材に備え付けたストッパー部により栓部材に対し二重にロックして、不使用時に蓋部材が不意に開くことのない安全性が高められた二重ロック構造を提供する。【解決手段】栓部材２のロック部３によりロックされる蓋部材５のヒンジｈの反対側ｔには、被係止片５０で成る被ロック部が形成され、被係止片５０の上部５の蓋部材５にストッパー部６が設けられ、ストッパー部６は上下方向にスライド移動可能であって下端６１に下向き凸部６０を有するストッパー部６が形成され、ストッパー部６の下向き凸部６０が嵌り合うロック凹部３０がロック部３の上端３１に形成されている。ロック部３が被係止片５０に係止されたロック状態で、蓋部材５のストッパー部６が下方にスライド移動されストッパー部６の下向き凸部６０がロック部３のロック凹部３０に嵌合することにより、栓部材２のロック部３の作動を拘束自在である。【選択図】    図５
2011093544.tif 000002
【特許請求の範囲】
【請求項１】
飲料容器の開口上部に着脱自在な栓部材の上端部に、蓋部材の一端が開閉自在にヒンジ連結され、前記蓋部材の他端をロック又はロック解除自在なロック部が前記栓部材の対応位置に備えられているロック構造において、
前記栓部材のロック部によりロックされる蓋部材の他端には、被ロック部が形成されていると共に、その被ロック部の上部における当該蓋部材にストッパー部が設けられ、このストッパー部は上下方向にスライド移動可能であり、前記栓部材のロック部が蓋部材の被ロック部に係止されたロック状態で、前記蓋部材のストッパー部が下方にスライド移動されて栓部材のロック部の作動を拘束自在に構成されていることを特徴とする飲料容器の二重ロック構造。
【請求項２】
飲料容器の開口上部に着脱自在な栓部材の上端部に、蓋部材の一端が開閉自在にヒンジにより連結されて当該蓋部材は開き方向にバネ付勢され、前記蓋部材のヒンジの反対側をロック又はロック解除自在な弾性を有するロック部が前記栓部材の対応位置に備えられているロック構造において、
前記栓部材のロック部によりロックされる蓋部材のヒンジの反対側には、被係止片で成る被ロック部が形成されていると共に、その被係止片の上部における当該蓋部材にストッパー部が設けられ、このストッパー部は上下方向にスライド移動可能であって下端に下向き凸部が形成され、当該ストッパー部の下向き凸部が嵌り合うロック凹部が前記ロック部の上端に形成されており、前記栓部材のロック部が蓋部材の被ロック部たる被係止片に係止されたロック状態で、前記蓋部材のストッパー部が下方にスライド移動され当該ストッパー部の下向き凸部がロック部のロック凹部に嵌合することにより、栓部材のロック部の作動を拘束自在に構成されていることを特徴とする飲料容器の二重ロック構造。
【請求項３】
蓋部材の被ロック部の上部には窓孔が形成され、ストッパー部の背面に形成された左右一対の腕部が窓孔に引っ掛けられ、且つ当該ストッパー部の正面には上下移動用の突片が突設されていることを特徴とする請求項１又は２に記載した飲料容器の二重ロック構造。
【請求項４】
蓋部材の窓孔の下端中央に形成された支柱の上部外側には水平方向に突出した水平凸部が形成され、ストッパー部の背面には左右の腕部の間に、水平方向に凹んで上下に形成された上側凹部と下側凹部が形成されており、蓋部材のストッパー部が下方にスライド移動され、前記支柱の水平凸部がストッパー部の上側凹部に嵌り合った際に、当該ストッパー部の下向き凸部がロック部のロック凹部に嵌り合って位置決め固定されて栓部材のロック部の作動が拘束され、又は蓋部材のストッパー部が上方にスライド移動され、前記支柱の水平凸部がストッパー部の下側凹部に嵌り合った際に、当該ストッパー部の下向き凸部がロック部のロック凹部から解放され、栓部材のロック部が作動自在に構成されていることを特徴とする請求項３に記載した飲料容器の二重ロック構造。
【発明の詳細な説明】
【技術分野】
【０００１】
本発明は、飲料容器の二重ロック構造に関し、より詳細には、ボトルタイプ式等の飲料容器の栓部材の上に開閉自在に取り付けられた蓋部材を、運搬や保管等の際、栓部材に対し二重にロックして安全性が高められた飲料容器における二重ロック構造の技術分野に属するものである。
【背景技術】
【０００２】
近年、ボトルタイプの飲料容器が種々開発されている。その中で、持ち運びに便利で使い勝手がよい直飲み式の飲料容器がある。
【０００３】
例えば、下記文献１の特開２００６−１５８７２９公開特許公報には、ボトル本体の上端部片側を中心に開閉する片開き蓋と、片開き蓋を閉じ位置にロックし、かつロックを解除できるようにしたロック機構とを備えた型開きボトルであって、ロック機構は、片開き蓋を閉じ位置にロックするロック部材と、ロック部材のロック、ロック解除の動作方向とは異なった方向の予備操作とロック解除動作の方向のロック部材を伴っての本操作との連続操作でロック部材によるロックを解除するロック解除部材とを備えたことを特徴とする片開きボトル（請求項１）が開示されている。
【先行技術文献】
【特許文献】
【０００４】
【特許文献１】特開２００６−１５８７２９公開特許公報
【発明の概要】
【発明が解決しようとする課題】
【０００５】
前記特許文献１に記載された片開きボトルは、ロック解除部材の予備操作と、ロック部材を伴ってするロック解除方向の本操作との連続操作で簡単にロック解除でき、片持ち状態で片手で操作可能な利便性ゆえに、不意に蓋が開いてしまう恐れがある。また、ロック解除部材を下側に摺動させることによりロック位置からロック解除位置へ変位させるため、ロック解除部材の摺動部位が摩耗すると、ロック解除部材が簡単にロック解除位置へ変位して不意に蓋が開いてしまう危険性も否めない。
【０００６】
かくして、前記のようにボトル本体の肩部材（栓部材）の側で、ロック部材とロック解除部材が備え付けられている従来型のロック構造では、片手操作できるがための誤操作や、携帯中の上下方向の揺れや何らかの衝撃で蓋が開いてしまうといった問題点がある。
【０００７】
したがって、本発明の目的は、飲料容器の栓部材の上に開閉自在に取り付けられた蓋部材の側で、二重にロックする部材（ストッパー部）を備え付け、その蓋部材側のストッパー部により栓部材に対し二重にロックして、運搬や保管時等に蓋部材が不意に開いて飲料が噴き出す恐れが無く安全性が高められた飲料容器の二重ロック構造を提供することである。
【課題を解決するための手段】
【０００８】
上記課題を解決するための手段として、請求項１記載の発明の飲料容器の二重ロック構造は、飲料容器１の開口上部１ａに着脱自在な栓部材２の上端部２ａに、蓋部材５の一端５ａが開閉自在にヒンジｈで連結され、前記蓋部材５の他端５ｂをロック又はロック解除自在なロック部３が前記栓部材２の対応位置ｐに備えられているロック構造において、
前記栓部材２のロック部３によりロックされる蓋部材５の他端５ｂには、被ロック部５０が形成されていると共に、その被ロック部５０の上部ｓにおける当該蓋部材５にストッパー部６が設けられ、このストッパー部６は上下方向にスライド移動可能であり、前記栓部材２のロック部３が蓋部材５の被ロック部５０に係止されたロック状態で、前記蓋部材５のストッパー部６が下方にスライド移動されて栓部材２のロック部３の作動を拘束自在に構成されていることを特徴とする。
【０００９】
請求項２記載の発明の飲料容器の二重ロック構造は、飲料容器１の開口上部１ａに着脱自在な栓部材２の上端部２ａに、蓋部材５の一端５ａが開閉自在にヒンジｈにより連結されて当該蓋部材５は開き方向ｋにバネ４ａで付勢され、前記蓋部材５のヒンジｈの反対側ｔをロック又はロック解除自在な弾性を有するロック部３が前記栓部材２の対応位置ｐに備えられているロック構造において、
前記栓部材２のロック部３によりロックされる蓋部材５のヒンジｈの反対側ｔには、被係止片５０で成る被ロック部が形成されていると共に、その被係止片５０の上部ｓにおける当該蓋部材５にストッパー部６が設けられ、このストッパー部６は上下方向にスライド移動可能であって下端６１に下向き凸部６０を有するストッパー部６が形成され、当該ストッパー部６の下向き凸部６０が嵌り合うロック凹部３０が前記ロック部３の上端３１に形成されており、前記栓部材２のロック部３が蓋部材５の被ロック部たる被係止片５０に係止されたロック状態で、前記蓋部材５のストッパー部６が下方にスライド移動され当該ストッパー部６の下向き凸部６０がロック部３のロック凹部３０に嵌合することにより、栓部材２のロック部３の作動を拘束自在に構成されていることを特徴とする。
【００１０】
請求項３記載の発明の飲料容器の二重ロック構造は、前記蓋部材５の被ロック部５０の上部ｓには窓孔７が形成され、ストッパー部６の背面６３に形成された左右一対の腕部６５、６５が前記窓孔７に引っ掛けられ、且つ当該ストッパー部６の正面６２には上下移動用の突片６４が突設されていることを特徴とする。
【００１１】
請求項４記載の発明の飲料容器の二重ロック構造は、前記蓋部材５の窓孔７の下端中央７１に形成された支柱７０の上部外側７３には水平方向に突出した水平凸部７２が形成され、ストッパー部６の背面６３には左右の腕部６５、６５の間に、水平方向に凹んで上下に形成された上側凹部６６と下側凹部６７が形成されており、蓋部材５のストッパー部６が下方にスライド移動され、前記支柱７０の水平凸部７２がストッパー部６の上側凹部６６に嵌り合った際に、当該ストッパー部６の下向き凸部６０がロック部３のロック凹部３０に嵌り合って位置決め固定されて栓部材２のロック部３の作動が拘束され、又は蓋部材５のストッパー部６が上方にスライド移動され、前記支柱７０の水平凸部７２がストッパー部６の下側凹部６７に嵌り合った際に、当該ストッパー部６の下向き凸部６０がロック部３のロック凹部３０から解放され、栓部材２のロック部３が作動自在に構成されていることを特徴とする。
【発明の効果】
【００１２】
請求項１の本発明の飲料容器の二重ロック構造は、栓部材のロック部によりロックされる蓋部材の他端に被ロック部が形成されていると共に、その被ロック部の上部における当該蓋部材にストッパー部が設けられ、このストッパー部は上下方向にスライド移動可能であり、栓部材のロック部が蓋部材の被ロック部に係止されたロック状態で、蓋部材のストッパー部が下方にスライド移動されて栓部材のロック部の作動を拘束自在に構成されているので、栓部材の側ではなく蓋部材の側に設けられたストッパー部により誤作動されることなく確実に二重にロックされ、運搬や保管等の際にロック部の不意な作動による蓋部材の展開が防止されて、飲料容器内の飲料が噴き出すことのない安全構造の飲料容器の提供に寄与する。
【００１３】
特に、請求項２の発明のように、栓部材のロック部によりロックされる蓋部材のヒンジの反対側には、被係止片で成る被ロック部が形成されていると共に、その被係止片の上部における当該蓋部材にストッパー部が設けられ、このストッパー部は上下方向にスライド移動可能であって下端に下向き凸部が形成され、当該ストッパー部の下向き凸部が嵌り合うロック凹部がロック部の上端に形成されているので、栓部材のロック部が蓋部材の被ロック部たる被係止片に係止されたロック状態で、蓋部材のストッパー部が下方にスライド移動され当該ストッパー部の下向き凸部がロック部のロック凹部に嵌合することにより、栓部材のロック部の作動を確実に拘束する安全性の向上に貢献する。
【００１４】
請求項３の本発明の飲料容器の二重ロック構造は、蓋部材の被ロック部の上部に窓孔が形成され、ストッパー部の背面に形成された左右一対の腕部が前記窓孔に引っ掛けられ、且つ当該ストッパー部の正面には上下移動用の突片が突設されているため、当該飲料容器を持ち運んだり保管する際に、蓋部材のストッパー部を栓部材のロック部にロックさせるときは、栓部材のロック部を蓋部材の被ロック部に係止させたたロック状態で、上方に位置するストッパー部の突片の上側を人差し指等で下方に押すだけでストッパー部は窓孔から外れることなく下方に移動され、栓部材のロック部のロック凹部に、ストッパー部の下向き凸部が嵌り合って確実に二重ロックされる。
【００１５】
一方、容器内の飲料を飲むときは、蓋部材のストッパー部の前記ロック状態を解除するため、下方に位置する前記ストッパー部の突片の下側を親指等で上方に押すだけでストッパー部は窓孔から外れることなく上方に移動され、ストッパー部による二重ロック状態は解除されるから、後は栓部材のロック部の外側下部を押してやれば蓋部材の被ロック部が解放されて蓋部材が自動的に開き方向に開き、オープンにされた飲み口部で難なく直飲みすることができる。
【００１６】
また、請求項４の本発明は、蓋部材の窓孔に形成された支柱の上部外側に水平方向に突出した水平凸部が形成され、ストッパー部の背面には左右の腕部の間に、水平方向に凹んで上下に形成された上側凹部と下側凹部が形成されているので、蓋部材のストッパー部を栓部材のロック部にロックさせるとき、蓋部材のストッパー部が下方にスライド移動され、前記支柱の水平凸部がストッパー部の上側凹部に嵌り合った際に、当該ストッパー部の下向き凸部がロック部のロック凹部に嵌り合って位置決め固定されて栓部材のロック部の作動が確実に拘束される安全設計である。
【００１７】
これに対し蓋部材のストッパー部の前記ロック状態を解除するときは、蓋部材のストッパー部が上方にスライド移動され、前記支柱の水平凸部がストッパー部の下側凹部に嵌り合った際に、当該ストッパー部の下向き凸部がロック部のロック凹部から確実に解放されるので、栓部材のロック部を支障なく動かすことができる。
【図面の簡単な説明】
【００１８】
【図１】本発明の飲料容器の二重ロック構造における蓋部材が開かれた状態を示した断面図である。
【００１９】
【図２】図１の状態から蓋部材を閉じる過程を示した断面図である。
【００２０】
【図３】栓部材のロック部を押しつつ蓋部材を栓部材に当接した状態を示した断面図である。
【００２１】
【図４】ロック部が被ロック部に係止されたロック状態を示した断面図である。
【００２２】
【図５】蓋部材のストッパー部による二重ロック状態を示した断面図である。
【００２３】
【図６】Ａ、Ｂは蓋部材を示した上方斜視図と下方斜視図である。
【００２４】
【図７】Ａ、Ｂは蓋部材のストッパー部の構造を示した部分拡大断面図と下方斜視断面図である。
【００２５】
【図８】Ａ、Ｂは蓋部材のストッパー部を拡大して示した全体図と裏面図である。
【００２６】
【図９】Ａ、Ｂは蓋部材のストッパー部を除いた窓孔を示した上方斜視図と下方斜視図である。
【００２７】
【図１０】Ａ、Ｂ、Ｃは蓋部材の二重ロック要領を示した斜視図である。
【００２８】
【図１１】二重ロック構造を備えた飲料容器を示した全体図である。
【発明を実施するための最良の形態】
【００２９】
本発明の飲料容器の二重ロック構造の好適な実施形態を、以下図面にしたがって説明する。なお、本請求項１〜４記載の発明に関する実施の形態は共通しているので、以下のとおり一括して説明する。
【００３０】
本実施形態の二重ロック構造を備えた飲料容器は、全体図を示した図１１のように、合成樹脂製の栓部材２が、筒状本体の当該飲料容器１の開口上部１ａに対し着脱自在である。栓部材２の上部には、直飲み用の貫通された飲み口部９が突設されている（図１０Ａ参照）。一方、後述する蓋部材５の裏側面の上部で下向きに突設された支持片５３に、シリコンゴム製のパッキン部５４が設けられ、蓋部材５を完全に閉めたとき前記栓部材２の飲み口部９に当接して密封自在となっている（図５参照）。
【００３１】
図１に示したように、前記栓部材２の上端部２ａの片側に、合成樹脂製の蓋部材５の一端５ａが開閉自在にヒンジｈで連結されて、当該蓋部材５は開き方向ｋにバネ４ａで付勢されている。具体的には、図６Ｂのように、蓋部材５の一端５ａで、ヒンジｈをなす外方に突き出た左右の腕部５２、５２が形成され、その腕部５２に軸孔５２ａが各々形成されている。栓部材２の上端部２ａにも軸孔２０ａが形成されており、位置を同じくする前記軸孔５２ａ、２０ａ、５２ａに通したヒンジ軸４に捲装されたバネ４ａにより、蓋部材５が開き方向ｋにバネ付勢されている。
【００３２】
栓部材２においては、前記蓋部材５のヒンジｈの反対側ｔの他端５ｂをロック又はロック解除自在なロック部３が、前記蓋部材５の他端５ｂの対応位置ｐに備えられている。ロック部３は、その略中央部が栓部材２の外側でピン３４により連結され、その外側下部３３を内方へ押すことで上端３１が内外に移動自在である。前記ロック部３の外側下部３３の内部にはバネ８が装着されていて、外側下部３３を押さなければ上端３１が外方に移動せず当該ロック部３のロック解除ができない構造となっている。
【００３３】
前記ロック部３の上端３１は内向きに折曲され、その折曲された中空内部が係止部３２に形成されている。この係止部３２に蓋部材５の被係止片５０が係止してロックされる。すなわち、ロック部３の係止部３２に対応する位置として、蓋部材５のヒンジｈの反対側ｔには、外向きに水平状に突出した被係止片５０で成る被ロック部が形成されていて、その被係止片５０が係止部３２に係止自在となっている。
【００３４】
また、前記係止部３２を形成するロック部３の上端３１には、若干凹んだロック凹部３０が形成されている。後述する蓋部材５のストッパー部６の下向き凸部６０が、このロック凹部３０に嵌合して二重にロックさせるためである。
【００３５】
ここで、蓋部材５側のストッパー部６が係止される窓孔７と支柱７０について説明する。図９に示したように、窓孔７は、蓋部材５の被ロック部５０の上部ｓに形成され、その窓孔７の下端中央７１には支柱７０が起立するように形成されている。つまり、支柱７０の外周を逆凹字状に切り欠いたようにして窓孔７は形成されている。この窓孔７に形成された支柱７０の上部外側７３には、水平方向に突出した水平凸部７２が形成されている。
【００３６】
蓋部材５の側に設けられるストッパー部６について説明する。
【００３７】
ストッパー部６は、上述した被係止片５０の上部ｓにおける当該蓋部材５に設けられており、図６〜図８に示したように、上下方向にスライド移動可能であって、その下端６１は下方向に湾曲状に突出した下向き凸部６０として形成されている。
【００３８】
このストッパー部６の背面６３には、図８Ｂに示したように、左右一対の腕部６５、６５が形成され、その各腕部６５の先端６５ａは、各左右外向きのフック状に形成されている。よって、図６Ｂに示したように、腕部６５、６５は、その先端６５ａ、６５ａが前記窓孔７に挿し込まれて引っ掛けられている。
【００３９】
また、図８Ｂに示した前記左右の腕部６５、６５の間に、水平方向に凹んで上下に平行して位置する形で上側凹部６６と下側凹部６７が形成されている。ストッパー部６が上下にスライド移動するに従って、支柱７０の水平凸部７２がこれらの上側凹部６６又は下側凹部６７のいずれかに嵌り合ってストッパー部６が位置決め固定されるようになっている（図７参照）。
【００４０】
さらに、図６Ａに示したように、ストッパー部６の正面６２には、当該ストッパー部６自体を上下移動させ易いように、手前に水平状に突き出た突片６４が設けられている。なお、このストッパー部６だけに赤色等の目立つ濃い色や蛍光色を付する実施形態を採用すれば、ロック部３と明確に区別でき、この飲料容器１を使用する者が最終的にストッパー部６による二重ロックを忘れないように注意を喚起できてよい。
【００４１】
したがって、図４に示したような栓部材２のロック部３が蓋部材５の被係止片５０（被ロック部）に係止されたロック状態で、突片６４を下方に押してストッパー部６を下方にスライド移動すると、裏面では支柱７０の水平凸部７２がストッパー部６の上側凹部６６に嵌合する（図７Ａ）と共に、正面では当該ストッパー部６の下向き凸部６０がロック部３のロック凹部３０に嵌り合って位置決め固定され、栓部材２のロック部３の作動が拘束されて確実に二重ロックされる（図５、図１０Ｃ）。
【００４２】
このときロック部３とりわけ外側下部３３が何らかの拍子で不意に押されたり振動が起きても、ロック部３の不動状態は確保され、ストッパー部６が上方に動くようなことはなく、二重ロックが強固に保持される。
【００４３】
かかる状態で、突片６４を親指等で上方に押してストッパー部６を上方にスライド移させると、裏面では支柱７０の水平凸部７２がストッパー部６の下側凹部６７に嵌り合うと共に、正面ではストッパー部６の下向き凸部６０がロック部３のロック凹部３０から解放されてストッパー部６による二重ロック状態がまず解除される（図４、図１０Ｂ）。
【００４４】
そこで、栓部材２のロック部３が作動自在となるので、図３のように栓部材２のロック部３の外側下部３３を押して、上方の係止部３２を外方に開けば、蓋部材５の被係止片（被ロック部）５０の係止が解放されて先行のロックが解除され（図２）、蓋部材５は自動的に開き方向ｋに開き、オープン状態の飲み口部９でスムーズに直飲みすることができる（図１）。
【００４５】
飲み終えて蓋部材５を閉じるときは、栓部材２のロック部３の外側下部３３を指ｙで押したままの状態で（図１０Ａ、図２）、蓋部材５を栓部材２に当接するまで閉じた後（図１〜図３）、前記のロック部３の外側下部３３から指を離す。そうすると、バネ付勢でロック部３の係止部３２が被ロック部５０に係止されてロックされる（図４、図１０Ｂ）。しかる後、上記同様に、ストッパー部６の突片６４を指で下方にスライド移動してやれば下向き凸部６０がロック凹部３０に嵌合し、閉じた蓋部材５は二重に確実にロックされるのである（図１０Ｃ、図５）。
【符号の説明】
【００４６】
１      飲料容器
１ａ    開口上部
２      栓部材
２ａ    上端部
３      ロック部
３０    ロック凹部
３１    上端
４ａ    バネ
５      蓋部材
５ａ    一端
５ｂ    他端
５０    被ロック部（被係止片）
６      ストッパー部
６０    下向き凸部
６１    下端
６２    正面
６３    背面
６４    突片
６５    腕部
６６    上側凹部
６７    下側凹部
７      窓孔
７０    支柱
７１    下端中央
７２    水平凸部
７３    上部外側
８      バネ
ｓ      上部
ｐ      対応位置
ｈ      ヒンジ
ｔ      反対側
ｋ      開き方向
【図１】
2011093544.tif 000003
【図２】
2011093544.tif 000004
【図３】
2011093544.tif 000005
【図４】
2011093544.tif 000006
【図５】
2011093544.tif 000007
【図６】
2011093544.tif 000008
【図７】
2011093544.tif 000009
【図８】
2011093544.tif 000010
【図９】
2011093544.tif 000011
【図１０】
2011093544.tif 000012
【図１１】
2011093544.tif 000013